(57)【要約】【課題】  エンコード記録とストリーム記録とを共に行なう記録再生装置において、記憶容量を有効に利用して、入力ストリームを記録する。【解決手段】  記録再生装置は、デジタル放送のストリームを記録する記録媒体２と、記録媒体２へのストリームの書込み及び消去の制御と、記録媒体２の記憶容量残量の管理と、を行なう記録媒体モジュール３と、ストリームを記録媒体２へエンコード記録とストリーム記録とを行なう制御部６と、を備え、制御部６は、記録媒体モジュールが管理する記憶容量残量に応じてエンコード記録又はストリーム記録を停止させ、停止させた側の記録容量を他側の記憶に再利用する。【選択図】  図１
2014116040.tif 000002
【特許請求の範囲】
【請求項１】
デジタル放送のストリームを記録する記録媒体と、
前記記録媒体へのストリームの書込み及び消去の制御と、前記記録媒体の記憶容量残量の管理と、を行なう記録媒体モジュールと、
前記ストリームを前記記録媒体へエンコード記録とストリーム記録とを行なう制御部と、を備え、
前記制御部は、前記記録媒体モジュールが管理する記憶容量残量に応じてエンコード記録又はストリーム記録を停止させ、停止させた側の記録容量を他側の記憶に再利用することを特徴とする記録再生装置。
【請求項２】
前記ストリームをエンコード記録するためのデコーダと、エンコード記録又はストリーム記録された信号を再生するためのデコーダとが、１つのデコーダにより共用されていることを特徴とする請求項１に記載の記録再生装置。
【請求項３】
前記制御部は、前記記録媒体モジュールの記録容量残量が予め設定された閾値を下回ったとき、エンコード記録を停止し、エンコード記録された記録容量をストリーム記録に再利用させることを特徴とする請求項１又は２に記載の記録再生装置。
【発明の詳細な説明】
【技術分野】
【０００１】
本発明は、デジタル放送のストリームをエンコード記録とストリーム記録とにより記録媒体に記録する技術に関し、特に、記録媒体の記録容量を有効に活用する技術に関する。
【背景技術】
【０００２】
例えば、テレビ放送ではデジタル化が普及し、デジタル映像・音声信号による高画質・高音質な番組のデジタル放送がなされている。
また、このようなデジタル放送を記録再生する装置として、種々な機能を備えたレコーダ・プレイヤ（記録再生装置）が普及しており、その中には、入力されたデジタル放送のストリームをエンコーダにより符号化圧縮して記録媒体に記録するエンコード記録と、入力されたデジタル放送のストリームを特段の符号化圧縮処理を施さずに直接的に記録媒体に記録するストリーム記録と、を同時に行なう機能を備えた記録再生装置がある。
【０００３】
特許文献１には、入力ストリームをデコード部によって変換した映像／音声信号をエンコード部によって所望のビットレートで再びストリームに変換して記録メディアに記録を行わせる再エンコード記録を行わせるときに、デコード部とエンコード部の両方またはどちらか一方が利用不可との判断を得た場合に、入力ストリームを直接記録メディアに記録を行わせるストリーム記録に切り替えるように制御するデジタル信号記録再生装置が記載されている。
【０００４】
特許文献２には、ＡＶＣ形式のストリームを記録する一方、同時にＤＲ形式のストリームを記録し、ＡＶＣ形式のストリームの記録が完了した場合に、ＡＶＣ形式のストリームと同時に記録したＤＲ形式のストリームを削除し、記録領域のうち、データが記録されていない領域である未記録領域の大きさを算出して、その未記録領域の大きさをユーザに報知することにより、同時記録中でもユーザの想定する残量により近い残量を表示可能とした記録再生装置が記載されている。
【０００５】
特許文献３には、ストリーム記録手段とエンコード記録手段とを備え、記録中に記録データの再生を開始する場合は、エンコード記録を停止して、エンコード記録データを削除すると共に、デコード手段により再生を行ない、記録中に記録データの再生を開始することなく、ストリーム記録が終了した場合は、ストリーム記録したデータを削除する情報データストリームの同時記録再生方法が記載されている。
【０００６】
特許文献４には、番組データの復号化および符号化を行わないストリーム記録処理、および、少なくとも番組データの符号化を行うエンコード記録処理の一方の処理を介して、信号から得られる番組データを記録媒体に記録する記録処理部と、記録媒体の種類に応じて、ストリーム記録処理およびエンコード記録処理の一方を選択する選択部と、選択された記録処理に応じて、記録媒体の残容量および番組データの伝送レートに基づく第１残量計算処理、および、符号化レートに基づく第２残量計算処理の一方を選択し、選択された計算処理により、記録媒体に記録することが可能な残り時間を計算する計算部と、を備えたデータ処理装置が記載されている。
【先行技術文献】
【特許文献】
【０００７】
【特許文献１】特開２００６−２１６１５３号公報
【特許文献２】特開２０１１−１２４８２５号公報
【特許文献３】特開２００９−１４６５５０号公報
【特許文献４】再表２００４−０７３３０５号公報
【発明の概要】
【発明が解決しようとする課題】
【０００８】
記録再生装置の記録媒体として、ハードディスク（ＨＤ）、デジタルビデオディスク（ＤＶＤ）、ブルレイディスク（ＢＤ）等といった種々なメディアが用いられるが、いずれの記憶媒体にあってもその記憶容量には限界がある。
したがって、例えば長時間におよぶ放送番組を記録媒体に記録する場合に、記録とともに記憶容量の残量が減って、放送番組の後半部分を記録し得ない事態が生じてしまうことがある。
【０００９】
このような事情は、エンコード記録とストリーム記録とを共に行なう記録再生装置においては、両記録方式によって記憶容量が減少するため、顕著であるといえる。
このため、デジタル放送のストリームをエンコード記録とストリーム記録とを共に行なう記録再生装置において、長時間におよぶ放送番組を記録する場合などでも、ストリームを確実に記録することが求められていた。
【００１０】
本発明は、上記従来の事情に鑑みなされたものであり、エンコード記録とストリーム記録とを共に行なう記録再生装置において、記憶容量を有効に利用して、デジタル放送のストリームを記録することを目的としている。
【課題を解決するための手段】
【００１１】
本発明に係る記録再生装置は、デジタル放送のストリームを記録する記録媒体と、前記記録媒体へのストリームの書込み及び消去の制御と、前記記録媒体の記憶容量残量の管理と、を行なう記録媒体モジュールと、前記ストリームを前記記録媒体へエンコード記録とストリーム記録とを共に行なう制御部と、を備え、前記制御部は、前記記録媒体モジュールが管理する記憶容量残量に応じてエンコード記録又はストリーム記録を停止させ、停止させた側の記録容量を他側の記憶に再利用する。
【００１２】
再利用の仕方としては、記憶媒体に既に記録されたストリームを消去して、当該消去された記憶容量（記憶領域）をエンコード記録又はストリーム記録のために割り当てる、記憶媒体に既に記録されたストリームをエンコード記録又はストリーム記録されるストリームにより上書きする、等の種々な方法を採用することができる。
【００１３】
ここに、エンコード記録は、ストリーム記録に比べて、記録媒体への記録密度が高い等の利点がある反面、再生されるストリームの画質や音質といった品質に劣る等の欠点があるといえる。
本発明は、ストリームをエンコード記録とストリーム記録とを同時に行なって記録媒体に記録する記録再生装置において、記録媒体の記録容量残量に応じて、エンコード記録を停止して、エンコード記録された記録容量をストリーム記録に再利用させるのが好ましい。このように、記録媒体の記録容量残量に応じて、ストリーム記録を優先させ、エンコード記録を停止して、エンコード記録に用いられた記録容量をストリーム記録に再利用させるようにすることで、ストリーム記録に用いることができる記憶容量を増やして、高品質な記録をより確実に行なうことができる。
【００１４】
本発明の好ましい態様例として、ストリームをエンコード記録するためのデコーダと、エンコード記録又はストリーム記録された信号（ストリームや符号化された画像／音声信号）を再生するためのデコーダとが、１つのデコーダにより共用されている記録再生装置とすることができる。
【００１５】
この態様例では、１つのデコーダの共用化により構成の簡素化や低価格化を実現することができるが、このような利点が得られる構成とした場合においても、上記のようにストリーム記録を優先させた状態で、記録と再生とを共に行なうことが保障される。
すなわち、エンコード記録を行なっている状態ではデコーダが使用されるため、記録されたストリームを再生するためには他のデコーダが必要となるが、この態様例では、エンコード記録を停止させてストリーム記録を続行する状態とするため、この状態では、１つのデコーダによって記録と再生とを同時に行なうことができる。
【００１６】
また、本発明の好ましい態様例として、前記制御部は、記録媒体の記録容量残量が予め設定された閾値を下回ったことに応じて、エンコード記録を停止して、エンコード記録された記録容量をストリーム記録に再利用させることができる。
したがって、この態様例では、例えば想定される使用状態等に基づいて、エンコード記録を停止させる閾値をユーザが任意に設定したり或いは製品製造時に設定しておくことにより、上記のように、ストリーム記録を優先させた、高品質で確実な記録を行なうことができる。
【００１７】
また、本発明の好ましい態様例として、前記制御部は、エンコード記録及びストリーム記録している放送番組のストリームについて当該放送番組の終了までの時間を取得し、当該放送番組について既にエンコード記録及びストリーム記録で消費された記憶容量（消費率）から、当該放送番組の終了までエンコード記録及びストリーム記録を続行するために記録媒体の記録容量の残量があるかを判定し、当該エンコード記録及びストリーム記録を続行するために記録媒体の記録容量の残量がない場合に、エンコード記録された記録容量をストリーム記録に再利用させることができる。
【００１８】
この態様例は、放送番組のストリームをエンコード記録及びストリーム記録を行なっている状態で、放送番組の終了までエンコード記録及びストリーム記録を続行するために記録媒体の記録容量の残量がない場合には、上記のように、ストリーム記録を優先させた高品質で可能な限り確実な記録を行なうことができる。
なお、上記において、放送番組の終了は、例えば、記録再生装置にユーザが設定した記録予約時間（放送番組に対応した録画予約の時間帯）や、記録再生装置が受信することができる放送番組の電子番組表データなど、から取得することができる。
また、上記判断は、例えば、既になされているエンコード記録及びストリーム記録による記憶容量の消費率に基づいて、記録容量の残量が放送番組終了までの残り時間をまかなうことができるか否かによって行なうことができる。
【００１９】
本発明は、入力されたデジタル放送等のストリームを記録再生する装置として実施できるが、このような記録再生装置の記録機能部分をなす記録方式としても実施することができる。
すなわち、本発明は、記録再生装置の記録機能部分として、映像又は音声の少なくとも一方を含むストリームをエンコード記録とストリーム記録とを同時に行なって記録媒体に記録する記録方式において、記録媒体の記録容量の残量に応じて、エンコード記録を停止して、エンコード記録された記録容量をストリーム記録に再利用させる制御を行なう。
なお、本発明の記録再生装置や記録方式において、記録媒体として、ＨＤ（Hard Disk）、ＤＶＤ（Digital Versatile Disk）、ＢＤ（Blue-ray Disk）等といった種々なメディアが用いられる。
【発明の効果】
【００２０】
本発明によると、記憶容量を有効に利用して、デジタル放送のストリームを記録することができる記録再生装置を提供することができる。
【図面の簡単な説明】
【００２１】
【図１】本発明の一実施形態に係る記録再生装置の要部の構成図である。
【図２】本発明の一実施形態に係る記録再生装置の記録処理を説明する図である。
【図３】本発明の一実施形態に係る記録再生装置の記録容量の変化を説明する図である。
【図４】本発明の他の一実施形態に係る記録再生装置の要部の構成図である。
【発明を実施するための形態】
【００２２】
図１には、本発明の一実施形態に係る記録再生装置の要部の構成を示してある。この記録再生装置は、映像又は音声の好きなくとも一方を含むデジタル放送のストリームを記憶媒体であるハードディスク（ＨＤ）に記録する機能と、当該記録したデジタル映像信号を再生する機能とを備えたＨＤＤ（Hard Disk Drive）レコーダ・プレイヤである。
【００２３】
この記録再生装置は、デジタル放送のストリームを入力する入力部１、デジタル映像信号を読み書き及び消去自在に記録する記録媒体２、記録媒体２への信号（デジタル映像／音声信号を含むストリーム）の読み書き及び消去の制御や記録媒体２の記憶容量の管理を行なうＨＤＤモジュール３、復号化処理を行なうデコーダ４、符号化処理を行なうエンコーダ５、記録媒体２への信号の記録を制御する制御部６、記録媒体２から読み出された信号を再生出力する出力部７を有している。
【００２４】
入力部１は、図外のデジタルチューナ等からデジタル放送のストリームを入力し、このストリームを分岐してＨＤＤモジュール３とデコーダ４へ出力する。
なお、本例では、入力部１に圧縮符号化されたデジタル信号であるストリーム（ＴＳ：Transport Stream）が入力されるが、本発明は種々な形式のストリームを入力する態様で実施することができる。
【００２５】
記録媒体２は、ＨＤＤモジュール３によって管理・制御されるハードディスク（ＨＤ）であり、ＨＤＤモジュール３の制御により記録した信号を読み書き及び消去自在であり、また、ＨＤＤモジュール３により記憶容量の消費量や残量等が管理される。
ＨＤＤモジュール３は、記憶媒体２に対する管理・制御を行なう機能部である。
なお、本発明は、ＤＶＤ、ＢＤ等といった種々なメディアを用いる態様で実施することができる。
【００２６】
デコーダ４は、復号処理を行ない、入力部１から入力されるストリームを画像／音声信号に復号する。
また、本例では、デコーダ４は、後述するように、記憶媒体２にエンコード記録されたストリーム（エンコーダ５により再符号化された画像／音声信号）を再生用の画像／音声信号に復号する処理、及び、記憶媒体２にストリーム記録されたストリームを再生用の画像／音声信号に復号化する処理も行なう。
【００２７】
すなわち、１つのデコーダ４が、ストリームをエンコード記録するためのデコーダと、エンコード記録又はストリーム記録された信号（ストリームや再符号化された画像／音声信号）を再生するためのデコーダとに共用されている。
デコーダ４により再生のために復号化された信号（画像／音声信号）は、出力部７により再生出力される。例えば、出力部７により、画面に画像が表示されスピーカにより音声が出力され、或いは、他のモニタやスピーカに画像／音声信号が出力される。
【００２８】
エンコーダ５は、デコーダ４により入力ストリームから画像／音声信号に復号された信号を再度符号化して圧縮し、エンコード記録用の信号に変換する。
ＨＤＤモジュール３は、入力部１から入力される入力ストリームを記録媒体２に記録（ストリーム記録）し、これと共に、エンコーダ５により再符号化された画像／音声信号を記録媒体２に記録（エンコード記録）する。なお、本実施形態では、これらストリーム記録とエンコード記録とを同時に行なう。
【００２９】
制御部６は、ＨＤＤモジュール３に対する情報の取得及び制御を行なって、エンコード記録とストリーム記録とを同時に行なっているときに、記録媒体２の記録容量の残量に応じて、エンコード記録を停止して、エンコード記録された記録容量をストリーム記録に再利用させる制御を行なう。
本例では、制御部６は、そのメモリに記録媒体２の記録容量の残量に対する閾値８が予め設定されており、この閾値８を基準として、ストリーム記録を優先させた高品質で確実な記録を行なうモードに切替える。
【００３０】
図２には、制御部６が行なう上記モード切替の処理手順を示してある。
デジタル放送の記憶が開始され、入力ストリームに対するエンコード記録とストリーム記録とが同時に行なわれると、制御部６は、ＨＤＤモジュール３から記憶容量の残量情報を取得して、エンコード記録とストリーム記録とにより記憶容量が消費される記憶媒体２の記憶容量残量を監視する（ステップＳ１）。
【００３１】
そして、制御部６は、逐次減少する記憶容量の残量と閾値８とを比較し（ステップＳ２）、残量が閾値８を下回ったときに、ＨＤＤモジュール３を制御して、ストリーム記録は実行させたままとして、実行されているエンコード記録を停止させる（ステップＳ３）。
なお、この停止制御は、ＨＤＤモジュール３を制御して、エンコード記録用の再符号化信号を記録媒体２で記録する処理を停止することにより行なうことができるが、本例では、エンコード記録用にデコーダ４へ入力される入力ストリームを遮断する、或いは、デコーダ４が入力ストリームをエンコード記録用に復号処理するのを停止させることも行なっており、これによって、１つのデコーダ４をエンコード記録と再生とに共用しても、デコーダ４が再生処理を実行できるようにしている。
【００３２】
そしてまた、制御部６は、ＨＤＤモジュール３を制御して、記憶媒体２に既にエンコード記録されている信号を消去して、これによって得られた記憶容量をストリーム記録に割り当てる再利用処理を行なわせる（ステップＳ４）。
したがって、図３（ａ）に示すように、エンコード記録とストリーム記録とによる消費で少なくなっていた記憶容量の残量が、同図（ｂ）に示すように、ストリーム記憶のために増加し、高品質なストリーム記録によるデジタル放送の記録時間が延長される。
なお、エンコード記録の消去範囲は、例えば、記録を行なっている放送番組のエンコード記録、或いは、記憶媒体２に既に記録されている全てのエンコード記録、といったように種々な態様を採用することができる。
【００３３】
図４には、本発明の他の一実施形態に係る記録再生装置の要部の構成を示してあり、本例は、上記の例における制御部６の機能を変更したものである。
したがって、上記の例と重複する説明は省いて、主に特徴的な部分の説明をする。
【００３４】
本例の制御部６は、エンコード記録及びストリーム記録している放送番組のストリームについて当該放送番組の終了までの時間を取得する取得部９と、当該放送番組について既にエンコード記録及びストリーム記録で消費された記憶媒体２の記憶容量から、当該放送番組の終了までエンコード記録及びストリーム記録を続行するために記録媒体２の記録容量の残量があるかを判定する判定部１０とを有している。そして、制御部６は、当該エンコード記録及びストリーム記録を続行するために記録媒体２の記録容量の残量がない場合に、上記と同様にして、エンコード記録された記録容量をストリーム記録に再利用させる。
【００３５】
本例では、取得部９が、デジタル放送によって受信される電子番組表から、現在記録を行なっている放送番組の終了までの時間を取得する。
判定部１０が、ＨＤＤモジュール３からの情報に基づいて、当該放送番組について既にエンコード記録及びストリーム記録で消費された記憶媒体２の記憶容量を取得し、これから時間当りの記憶容量の消費量（消費率）を算定する。そして、判定部１０が、この消費率と放送番組の終了までの残り時間とにより、当該放送番組の終了までエンコード記録及びストリーム記録を続行するために必要な記録容量を算出し、この必要容量と記録媒体２の記録容量残量とを比較して、当該放送番組の終了までエンコード記録及びストリーム記録を続行するために記録媒体２の記録容量の残量があるかを判定する。
【００３６】
この判定の結果、残量が足りない場合には、制御部６が、上記と同様に、エンコード記録を停止して、既にエンコード記録された記憶容量をストリーム記録に再利用させる。
これにより、長時間の放送番組であっても、より長時間或いは番組終了まで、高品質に記録することができる。
【００３７】
上記の実施において、制御部６などの機能部は、それぞれハードウエアにより構成するようにしてもよく、或いは、コンピュータハードウエアにより所定のプログラムを実行することで構成するようにしてもよい。
【００３８】
また、上記の説明では、制御部６が、記録媒体２の記録容量の残量に応じて、エンコード記録を停止して、エンコード記録された記録容量をストリーム記録に再利用させる制御を行なう例を示したが、本発明は、これとは逆に、ストリーム記録を停止して、ストリーム記録された記録容量をエンコード記録に再利用させる制御を行なうようにすることもできる。
すなわち、本発明では、制御部６が、記録媒体２の記録容量残量に応じてエンコード記録を優先させた記録を行なうことで、記録媒体２の記録容量を有効利用するようにしてもよい。
【符号の説明】
【００３９】
１：入力部、  ２：記憶媒体、
３：ＨＤＤモジュール、  ４：デコーダ、
５：エンコーダ、  ６：制御部、
７：出力部、  ８：閾値、
９：取得部、  １０判定部、
【図１】
2014116040.tif 000003
【図２】
2014116040.tif 000004
【図３】
2014116040.tif 000005
【図４】
2014116040.tif 000006